(57)【特許請求の範囲】
【請求項１】
一方がゲートウェイを介した一般端末と、他方が移動体端末である、上記端末間をホームエージェントによりルート最適化するネットワークにおいて、
上記一方の一般端末、または上記他方の移動体端末のいずれかからの呼びかけ、または呼びかけ応答に対応して、上記ゲートウェイは、通話開始に先だって、ダミー音声パケットを送信するステップと、
上記移動体端末を管理するホームエージェントは、上記ダミー音声パケット送信を受けて、上記移動体端末のアドレスを含むバインド・メッセージを送信するステップとを備えて、
上記ゲートウェイは、上記バインド・メッセージを受信すると、ルート最適化を開始するようにしたことを特徴とする音声パケット用通信路最適化方法。
【請求項２】
ゲートウェイは、呼びかけ応答として、リンギング・メッセージかセッション・プログレス・メッセージかコネクト・メッセージかのいずれかを受信して、または呼びかけ応答としてリンギング・メッセージを送信して、該受信または送信に対応してダミー音声パケットを送信するようにしたことを特徴とする請求項１記載の音声パケット用通信路最適化方法。
【請求項３】
ゲートウェイは、呼びかけとして、インバイト・メッセージを受信して、またはリソース確保時に、該受信または確保に対応してダミー音声パケットを送信するようにしたことを特徴とする請求項１記載の音声パケット用通信路最適化方法。
【請求項４】
ネットワークに音声インターネット・プロトコル・シグナリングを処理するコールエージェントを備えて、該コールエージェントは、ホームエージェントからのバインド・メッセージを受信すると、該バインド・メッセージ中の移動体端末が一時的に属するエージェントのアドレスを記憶しておき、
ゲートウェイが行なうダミー音声パケットを送信するステップと、ホームエージェントが行なうバインド・メッセージを送信するステップ、の２つのステップに換えて、
上記コールエージェントが、一方かまたは他方の端末からの呼びかけか、または呼びかけ応答を受信して、上記移動体端末が一時的に属するエージェントのアドレスを含んで呼びかけ応答を通話開始に先だって送信するステップを備えて、
ゲートウェイは、上記コールエージェントからの上記移動体端末が一時的に属するエージェントのアドレスを含む呼びかけ応答を受信すると、該移動体端末が属するエージェントのアドレスに対してルート最適化を開始するようにしたことを特徴とする請求項１記載の音声パケット用通信路最適化方法。
【請求項５】
一方のゲートウェイを介しての一般端末に換えて、他の移動体端末とで通話を行い、
ゲートウェイに換えて、上記他の移動体端末を管理するエージェントを備えて、
移動体端末が一時的に属するエージェント、または上記他の移動体端末を管理するエージェントがゲートウェイ相当となり、該ゲートウェイ相当が通話開始に先だってダミー音声パケットを送信するステップを備えたことを特徴とする請求項１記載の音声パケット用通信路最適化方法。
【請求項６】
一方のゲートウェイと一般端末に換えて、コレスポンディング・ノードであるインターネット端末とで通話を行い、
移動体端末が一時的に属するエージェント、または上記コレスポンディング・ノードであるインターネット端末がゲートウェイ相当となり、該ゲートウェイ相当が通話開始に先だってダミー音声パケットを送信するステップを備えたことを特徴とする請求項１記載の音声パケット用通信路最適化方法。
【請求項７】
ゲートウェイにタイマーを設けて、通話開始後も無音状態をトリガーとして、または所定周期でタイマーを動作させて、一定時間無音状態が続くか、または所定時間経過すると、ダミー音声パケットを送信するようにしたことを特徴とする請求項１、請求項５または請求項６いずれか記載の音声パケット用通信路最適化方法。
【発明の詳細な説明】
【０００１】
【発明の属する技術分野】
本発明は、Ｍｏｂｉｌｅ  ＩＰ（Ｉｎｔｅｒｎｅｔ  Ｐｒｏｔｏｃｏｌ）を実現しているネットワークにおける、音声ＩＰ（ＶｏＩＰ）パケットのルート最適化手順に関するものである。
【０００２】
【従来の技術】
ＩＰ（Ｉｎｔｅｒｎｅｔ  Ｐｒｏｔｏｃｏｌ）アドレスを持った端末がサブネットを跨って移動した場合に、ＭＴがセッションを中断する事なく、通信を保つ方法として、ＩＥＴＦ（Ｉｎｔｅｒｎｅｔ  Ｅｎｇｉｎｅｅｒｉｎｇ  Ｔａｓｋ
Ｆｏｒｃｅ）においてＭｏｂｉｌｅ  ＩＰが提唱されている。
このＭｏｂｉｌｅ  ＩＰにおいては、ＭＴ宛てのＩＰパケットが必ずＨＡを経由する、いわゆる三角ルーチングを形成するので、伝送遅延が大きくなってしまう。ＶｏＩＰなどの遅延が許されないデータを伝送する際には、このような伝送遅延は大きな問題となる。
【０００３】
そこで、ＩＥＴＦのインターネットドラフト（ｄｒａｆｔ−ｉｅｔｆ−ｍｏｂｉｌｅｉｐ−ｏｐｔｉｍ−１０．ｔｘｔ）では、上記の三角ルーチングによる伝送遅延を解消する方法として、ルート最適化（Ｒｏｕｔｅ  Ｏｐｔｉｍｉｚａｔｉｏｎ）の機構を提案している。即ち、ＣＮ（ｃｏｒｒｅｓｐｏｎｄｉｇ  Ｎｏｄｅ）からＨＡ（Ｈｏｍｅ  Ａｇｅｎｔ）を経由せず、ＭＴ（Ｍｏｂｉｌｅ  Ｔｅｒｍｉｎａｌ）の気付アドレスへのショートカットパスを設定するプロトコルである。
図１６にルート最適化をサポートしたＭｏｂｉｌｅ  ＩＰｖ４ネットワーク上で、ＶｏＩＰを動作させた場合のシグナリングメッセージがルート最適化される動作を、そして図１６に音声ＩＰパケットがルート最適化される動作を示す。
【０００４】
図１６において、１はＩＰネットワーク、２はＰＳＴＮ（Ｐｕｂｌｉｃ  Ｓｗｉｔｃｈｅｄ  Ｔｅｌｅｐｈｏｎｅ  Ｎｅｔｗｏｒｋｓ）、３はＭＴ、４はＢＴＳ（基地局）、５はＲＮＣ（Ｒａｄｉｏ  Ｎｅｔｗｏｒｋ  Ｃｏｎｔｒｏｌｌｅｒ）、６はＭＴ３のＨＡ、７はＲＮＣ５内にありＭＴ３にとってのＦＡ（Ｆｏｒｅｉｇｎ  Ａｇｅｎｔ）、８はＶｏＩＰシグナリングを処理するＣＡ（Ｃａｌｌ  Ａｇｅｎｔ）、９はＩＰネットワーク１とＰＳＴＮ２を接続するＧＷ（Ｇａｔｅｗａｙ）、１０はＭＴ３の通信の相手端末ＣＮ、１１はＨＡ６からＦＡ７へのＩＰトンネル、１２はルート最適化機構にて設定されシグナリングメッセージが転送されるＣＡ８からＦＡ７へのＩＰトンネルである。
また図１７において、１６はルート最適化機構にて設定され音声ＩＰパケットが転送されるＧＷ９からＦＡ７へのＩＰトンネルである。
【０００５】
図１６に基づいてＣＮ１０からＭＴ３へ発信し、ＶｏＩＰのシグナリングメッセージがルート最適化される動作を説明する。
ＣＮ１０から送信されたＳｅｔｕｐメッセージ１３は、ＧＷ９を経由して、ＣＡ８に到着する。ＣＡ８では、着信電話番号から、着信者のＩＰアドレスを検索し、ＭＴ３のホームアドレスに向けて、メッセージ１４を送信する。メッセージ１４は、ＨＡ６にてカプセル化され、ＩＰトンネル１１を経由して、ＭＴ３に送信される。ＨＡ６では、メッセージ１４を受信することによりルート最適化の機構が働き、メッセージ１５を用いてＣＡ８に、ＭＴ３の気付けアドレスであるＦＡ７のアドレスが通知される。この通知により、ＣＡ８からＦＡ７のＩＰトンネル１２が設定され、以後ＣＡ８からＭＴ３のホームアドレスへのメッセージは、ＨＡ６を経由することなく、最短のトンネルであるＩＰトンネル１２を用いて、ＦＡ７へ送信され、ルート最適化が実行される。
【０００６】
上記図１６のシグナリングメッセージをやり取りした後、通話を開始して音声のＩＰパケットがルート最適化される動作を図１７に基づいて説明する。
ＣＮ１０からの音声は、ＧＷ９にてＩＰパケット化され、ＭＴ３のホームアドレスに向けて送信される。音声ＩＰパケット１７は、ＨＡ６にてカプセル化され、ＩＰトンネル１１を経由して、ＭＴ３に送信される。ＨＡ６では、音声ＩＰパケット１７を受信することにより、ルート最適化の機構が働き、メッセージ１８を用いてＧＷ９に、ＭＴ３の気付けアドレスであるＦＡ７のアドレスが通知される。この通知により、ＧＷ９からＦＡ７のＩＰトンネル１６が設定され、以後ＧＷ９からＭＴ３のホームアドレスへのメッセージは、ＨＡ６を経由することなく、最短のトンネルであるＩＰトンネル１６を用いて、ＦＡ７へ送信され、ルート最適化が実行される。
【０００７】
【発明が解決しようとする課題】
上記のように、ＶｏＩＰのシグナリングメッセージと音声ＩＰパケットのルート最適化は独立して行われので、音声通話開始直後は、未だ音声ＩＰパケットに対しては、ルート最適化が行われておらず遅延時間が大きくなり、音声が乱れてしまう。また、音声通話開始直後の音声ＩＰパケットにより、初めてルート最適化の機構が働き、ルート最適化が行われていないそれ以前の音声ＩＰパケットは、ルート最適化された音声パケットに追い越されてしまう可能性がある。この場合、追い越された音声ＩＰパケットは廃棄されてしまうという課題がある。
また更に、ルート最適化のパスには寿命が存在し、一定時間以上パケットが送信されない場合と、パスは、ＨＡを経由する通常のトライアングルパスに戻ってしまう。従って通話中でも一定時間以上の無音状態が続くと、パスはＨＡを経由する通常のトライアングルパスに戻ってしまい、追い越された音声ＩＰパケットが廃棄されるという課題がある。
【０００８】
この発明は上記のような課題を解決するためになされたもので、通話以前に最適化音声ＩＰルートを得て、パケット廃棄の可能性を無くする。また通話中の無音状態に対しても同様に対処する。
【０００９】
【課題を解決するための手段】
この発明に係る音声パケット用通信路最適化方法は、一方がゲートウェイを介した一般端末と、他方が移動体端末である、上記端末間をホームエージェントによりルート最適化するネットワークにおいて、
一方の一般端末、または他方の移動体端末のいずれかからの呼びかけ、または呼びかけ応答に対応して、ゲートウェイは、通話開始に先だって、ダミー音声パケットを送信するステップと、
移動体端末を管理するホームエージェントは、ダミー音声パケット送信を受けて、移動体端末のアドレスを含むバインド・メッセージを送信するステップとを備えて、
ゲートウェイは、バインド・メッセージを受信すると、ルート最適化を開始するようにした。
【００１０】
また更に、ゲートウェイは、呼びかけ応答として、リンギング・メッセージかセッション・プログレス・メッセージかコネクト・メッセージかのいずれかを受信して、またはリンギング・メッセージを送信して、対応してダミー音声パケットを送信するようにした。
【００１１】
また更に、ゲートウェイは、呼びかけとして、インバイト・メッセージを受信して、またはリソース確保時に、対応してダミー音声パケットを送信するようにした。
【００１２】
また更に、ネットワークに音声インターネット・プロトコル・シグナリングを処理するコールエージェントを備えて、このコールエージェントは、ホームエージェントからのバインド・メッセージを受信すると、このバインド・メッセージ中の移動体端末が一時的に属するエージェントのアドレスを記憶しておき、
ゲートウェイが行なうダミー音声パケットを送信するステップと、ホームエージェントが行なうバインド・メッセージを送信するステップ、の２つのステップに換えて、
上記コールエージェントが、一方かまたは他方の端末からの呼びかけか、または呼びかけ応答を受信して、上記移動体端末が一時的に属するエージェントのアドレスを含んで呼びかけ応答を通話開始に先だって送信するステップを備えて、
ゲートウェイは、上記コールエージェントからの上記移動体端末が一時的に属するエージェントのアドレスを含む呼びかけ応答を受信すると、該移動体端末が属するエージェントのアドレスに対してルート最適化を開始するようにした。
【００１３】
また更に、ネットワークにおいて、一方のゲートウェイを介しての一般端末に換えて、他の移動体端末とで通話を行い、
ゲートウェイに換えて、上記他の移動体端末を管理するエージェントを備えて、
移動体端末が一時的に属するエージェント、または上記他の移動体端末を管理するエージェントがゲートウェイ相当となり、通話開始に先だってダミー音声パケットを送信するステップを備えた。
【００１４】
また更に、一方のゲートウェイと一般端末に換えて、コレスポンディング・ノードであるインターネット端末とで通話を行い、
移動体端末が一時的に属するエージェント、または上記コレスポンディング・ノードであるインターネット端末がゲートウェイ相当となり、通話開始に先だってダミー音声パケットを送信するステップを備えた。
【００１５】
また更に、ゲートウェイにタイマーを設けて、通話開始後も無音状態をトリガーとして、または所定周期でタイマーを動作させて、一定時間無音状態が続くか、または所定時間毎に、ダミー音声パケットを送信するようにした。
【００１６】
【発明の実施の形態】
実施の形態１．
図１は、この発明に係る音声最適ルーチング方法の一実施の形態を示すネットワーク構成図である。図１において、１はＩＰネットワーク、２はＰＳＴＮ（Ｐｕｂｌｉｃ  Ｓｗｉｔｅｃｈｅｄ  Ｔｅｌｅｐｈｏｎｅ  Ｎｅｔｗｏｒｋｓ）、３はＭＴ（Ｍｏｂｉｌｅ  Ｔｅｒｍｉｎａｌ）、４はＢＴＳ（基地局）、５はＲＮＣ（Ｒａｄｉｏ  Ｎｅｔｗｏｒｋ  Ｃｏｎｔｒｏｌｌｅｒ）、６はＭＴ３のＨＡ（Ｈｏｍｅ  Ａｇｅｎｔ）、７はＲＮＣ５内にありＭＴ３にとってのＦＡ、８はＣＡ（Ｃａｌｌ  Ａｇｅｎｔ）、９はＩＰネットワーク１とＰＳＴＮ２を接続するＧＷ（Ｇａｔｅｗａｙ）、１０はＣＮ（Ｃｏｒｒｅｓｐｏｎｄｉｎｇ  Ｎｏｄｅ）、１１はＨＡ６からＦＡ７へのＩＰトンネル、１７はＧＷからＭＴに向けて送信されるダミー音声ＩＰパケット、１９は上記ダミー音声ＩＰパケット１７によりルート最適化されるＧＷ９からＦＡ７へのＩＰトンネルである。また本実施の形態においては、ＶｏＩＰプロトコルとして、Ｓｅｓｓｉｏｎ  Ｉｎｉｔｉａｔｅ  Ｐｒｏｔｏｃｏｌ（以下、ＳＩＰとする）を想定しているが、Ｈ．３２３等の他のプロトコルを用いてもよい。
【００１７】
また、図２は図１に示すネットワークモデルにおいて、ＣＮ１０がＭＴ３に発信した場合において、ＧＷ９が呼設定完了前であるＲｉｎｇｉｎｇメッセージ受信時に、ＭＴ３に対してダミーの音声ＩＰパケットを送信することにより、通話開始前に、音声ＩＰパケットのルート最適化パスを設定するときの動作シーケンスである。図２および以降のシーケンス図において、（ＢＴＳ）基地局は常に透過転送であるため省略する。
【００１８】
図３は、ルート最適化を行う為のＢｉｎｄｉｎｇ  Ｕｐｄａｔｅメッセージのフォーマットを示す。ここで、Ｍｏｂｉｌｅ  Ｎｏｄｅ  Ｈｏｍｅ  Ａｄｄｒｅｓｓ１２００はＭＴのホームアドレスを示し、Ｃａｒｅ−ｏｆ  Ａｄｄｒｅｓｓ１２０１は上記ＭＴの気付けアドレスを示している。本Ｂｉｎｄｉｎｇ  Ｕｐｄａｔｅメッセージを受信したノードは、Ｍｏｂｉｌｅ  Ｎｏｄｅ  Ｈｏｍｅ  Ａｄｄｒｅｓｓ１２００宛てのパケットを受信した場合、Ｃａｒｅ−ｏｆ  Ａｄｄｒｅｓｓ１２０１にて示す気付けアドレス宛てに、ＩＰパケットのカプセル化を行い、トンネリングすることによって、ルートの最適化を実行する。
【００１９】
次に、図１、図２及び、図３を用いてシーケンスを説明する。
まず図２において、ＣＮ１０がＭＴ３に発信し、ＧＷ９に４００のＳｅｔｕｐメッセージが送信される。Ｓｅｔｕｐメッセージ４００を受信したＧＷ９は、ＣＡ８に対して４０１のＩｎｖｉｔｅメッセージを送信する。Ｉｎｖｉｔｅメッセージ４０１を受信したＣＡ８は、メッセージの着信電話番号から、着信者のＩＰアドレスであるＭＴ３のホームアドレスを検索し、ＭＴ３に対して４０２のＩｎｖｉｔｅメッセージを送信する。Ｉｎｖｉｔｅメッセージ４０２は、ＨＡ６にて受信され、カプセル化が行われ、Ｉｎｖｉｔｅメッセージ４０３は、ＩＰトンネル１１を経由してＦＡ７に転送される。Ｉｎｖｉｔｅメッセージ４０３を受信したＦＡ７は、デカプセル化を行い、Ｉｎｖｉｔｅメッセージ４０４はＢＴＳ４を経由してＭＴ３に送信される。
ここで、Ｉｎｖｉｔｅメッセージ４０２を受信したＨＡ６は、シグナリングパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ４０５を、ＣＡ８に送信する。Ｂｉｎｄ  Ｕｐｄａｔｅメッセージ４０５を受信したＣＡ８は、以降に受信するＭＴ３向けのシグナリングパケットをカプセル化し、ＨＡ６を経由せず、ＦＡ７に送信することで、シグナリングパケットのルート最適化４０６が行われる。
【００２０】
Ｒｉｎｇｉｎｇメッセージ４０７を受信したＦＡ７は、ＣＡ８にＲｉｎｇｉｎｇメッセージ４０８を送信し、Ｒｉｎｇｉｎｇメッセージ４０８を受信したＣＡ８は、ＧＷ９にＲｉｎｇｉｎｇメッセージ４０９を送信する。またＲｉｎｇｉｎｇメッセージ４０９を受信したＧＷ９は、ＣＮ１０にＡｌｅｒｔメッセージ４１０を送信する。
ここで、Ｒｉｎｇｉｎｇメッセージ４０９を受信したＧＷ９は、Ｒｉｎｇｉｎｇメッセージ内にあるＭＴ３のアドレスから、ＭＴ３に対して、ダミー音声ＩＰパケット４１１を送信する。ダミー音声ＩＰパケット４１１は、ＨＡ６にて受信され、カプセル化が行われた後、ダミー音声ＩＰパケット４１２は、ＩＰトンネル１１を経由してＦＡ７に転送される。ダミー音声ＩＰパケット４１２を受信したＦＡ７は、デカプセル化を行い、ダミー音声ＩＰパケット４１３はＢＴＳ４を経由してＭＴ３に送信される。ここで、ダミー音声ＩＰパケット４１１を受信したＨＡ６は、音声ＩＰパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ４１４を、ＧＷ９に送信する。Ｂｉｎｄ  Ｕｐｄａｔｅメッセージ４１４を受信したＧＷ９は、以降に受信するＭＴ３向けの音声ＩＰパケットをカプセル化し、ＨＡ６を経由せず、ＦＡ７に送信することで、音声ＩＰパケットのルート最適化４１５が開始され、通話開始４２４において最適化が行われる。
【００２１】
次に、ＯＫメッセージ４１６を受信したＦＡ７は、ＣＡ８にＯＫメッセージ４１７を送信し、ＯＫメッセージ４１７を受信したＣＡ８は、ＧＷ９にＯＫメッセージ４１８を送信する。またＯＫメッセージ４１８を受信したＧＷ９は、ＣＮ１０にＣｏｎｎｅｃｔメッセージ４１９を送信する。Ｃｏｎｎｅｃｔ  ＡＣＫメッセージ４２０を受信したＧＷ９は、ＣＡ８にＡＣＫメッセージ４２１を送信する。ＡＣＫメッセージ４２１を受信したＣＡ８は、上記シグナリングパケットのルート最適化により、ＦＡ７にＡＣＫメッセージ４２２を送信し、ＦＡ７はＭＴ３にＡＣＫメッセージ４２３を送信する。
【００２２】
ここで、ＣＮ１０とＭＴ３は、通話開始状態４２４となり、ＧＷ９にて受信した音声ＩＰパケット４２５は、上記音声ＩＰパケットのルート最適化により、ＨＡ６を経由することなく、音声ＩＰパケット４２６はＦＡ７に送信され、最終的には、音声ＩＰパケット４２７としてＭＴ３に到着する。
【００２３】
このように、通話状態になる前から音声ＩＰパケットのルート最適化の設定が開始される為、音声通話の開始直後からルート最適化が実行され、遅延時間の変動も小さく、音声が乱れることもない。また音声通話の開始直後からルート最適化が完了するため、ＩＰパケットの到着順序の乱れも小さくなることにより、パケット廃棄の可能性も限りなく少なくなる効果を奏する。
【００２４】
図２のシーケンスにおいては、ＭＴ３からのＲｉｎｇｉｎｇメッセージ受信を契機に、ＧＷ９がダミー音声ＩＰパケットをＭＴ３に送信していたが、このＲｉｎｇｉｎｇメッセージ受信以前に、ＭＴ３とＣＮ１０で行われるリソースのネゴシエーション時に、ダミー音声ＩＰパケットを送信し、音声ＩＰパケットのルート最適化を開始してもよい。図４はこうした場合を示すシーケンス図である。
【００２５】
図１、図４及び図３を用いてシーケンスを説明する。図４においては、図２と同様にＳｅｔｕｐ  ５００からＢｉｎｄ  Ｕｐｄａｔｅ５０５のシーケンスに続いて、シグナリングパケットのルート最適化が開始される。この後、Ｓｅｓｓｉｏｎ  Ｐｒｏｇｒｅｓｓ５０７から５０９のシーケンスで、ＭＴ３からＣＡ８を経由して、ＧＷ９にＳｅｓｓｉｏｎ  Ｐｒｏｇｒｅｓｓメッセージが送信される。Ｓｅｓｓｉｏｎ  Ｐｒｏｇｒｅｓｓメッセージ５０９を受信したＧＷ９は、Ｓｅｓｓｉｏｎ  Ｐｒｏｇｒｅｓｓメッセージ内にあるＭＴ３のアドレスから、ＭＴ３に対して、ダミー音声ＩＰパケット５１０を送信する。ダミー音声ＩＰパケット５１０は、ＨＡ６、ＦＡ７を経由して、ダミー音声ＩＰパケットとしてＭＴ３に送信される。
【００２６】
ここで、ダミー音声ＩＰパケット５１０を受信したＨＡ６は、音声ＩＰパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ５１３を、ＧＷ９に送信する。Ｂｉｎｄ  Ｕｐｄａｔｅメッセージ５１３を受信したＧＷ９は、以降に受信するＭＴ３向けの音声ＩＰパケットをカプセル化し、ＨＡ６を経由せず、ＦＡ７に送信することで、音声ＩＰパケットのルート最適化５１４が行われる。よって、この実態の形態におけるダミー音声ＩＰパケットの送信により、リソースネゴシエーション時に音声ＩＰパケットのルート最適化を開始することが出来、従って通話開始時には、音声ＩＰパケットのルート最適化が行なわれる。
【００２７】
図４のシーケンスにおいては、ＭＴ３とＣＮ１０で行われるリソースのネゴシエーション時に、ＧＷ９がダミー音声ＩＰパケットをＭＴ３に送信していたが、ＭＴ３とＣＮ１０で行われるリソース確保時に、ダミー音声ＩＰパケットを送信し、音声ＩＰパケットのルート最適化を開始してもよい。図５はこうした場合のシーケンス図である。
【００２８】
図１、図５及び図３を用いてシーケンスを説明する。図５においては、図４と同様にＳｅｔｕｐ６００からＢｉｎｄ  Ｕｐｄａｔｅ  ６０５のシーケンスに続いてシグナリングパケットのルート最適化が開始され、Ｓｅｓｓｉｏｎ  Ｐｒｏｇｒｅｓｓ６０７からＯＫ６１５のシーケンスにおいて、リソースネゴシエーションが行われる。この後、ＯＫ６２６のシーケンスまでの間に、リソース確保が行われるが、詳しくは、まずＣＯＭＥＴメッセージ６１６を送信したＧＷ９は、ＭＴ３に対して、ダミー音声ＩＰパケット６１９を送信する。ダミー音声ＩＰパケット６１９は、ＨＡ６、ＦＡ７を経由して、６２０から６２１の音声ＩＰパケットとしてＭＴ３に送信される。
【００２９】
ここで、ダミー音声ＩＰパケット６１９を受信したＨＡ６は、音声ＩＰパケットのルート最適化を行う為、先に述べたと同様の図３のＢｉｎｄ  Ｕｐｄａｔｅメッセージ６２２を、ＧＷ９に送信する。Ｂｉｎｄ  Ｕｐｄａｔｅメッセージ６２２を受信したＧＷ９は、以降に受信するＭＴ３向けの音声ＩＰパケットをカプセル化し、ＨＡ６を経由せず、ＦＡ７に送信することで、音声ＩＰパケットのルート最適化６２３が行われる。こうして、ダミー音声ＩＰパケット６１９の送信により、リソース確保時に音声ＩＰパケットのルート最適化を行うことが出来、通話開始直後から、音声ＩＰパケットのルート最適化が行なわれる。
【００３０】
実施の形態２．
先の実施の形態では、ＰＳＴＮに接続されたＣＮ側から発信の起動をする場合を説明したが、ここではＭＴ側から発信起動する場合を説明する。
図６は図１に示すネットワークモデルにおいて、ＭＴ３がＣＮ１０に発信した場合において、ＧＷ９がＩｎｖｉｔｅメッセージ受信時に、ＭＴ３に対してダミーの音声ＩＰパケットを送信することにより、通話開始前に、音声ＩＰパケットのルート最適化パスを設定するときの動作シーケンスである。
【００３１】
次に、図１、図６及び図３を用いてシーケンスを説明する。
まずＭＴ３がＣＮ１０に発信し、ＧＷ９にＩｎｖｉｔｅメッセージ７００が送信される。Ｉｎｖｉｔｅメッセージ７００を受信したＦＡ７は、ＣＡ８に対してのＩｎｖｉｔｅメッセージ７０１を送信する。Ｉｎｖｉｔｅメッセージ７０１を受信したＣＡ８は、ＧＷ９に対してＩｎｖｉｔｅメッセージを送信する。Ｉｎｖｉｔｅメッセージ７０２は、ＧＷ９にて受信され、Ｓｅｔｕｐメッセージ７０３がＣＮ１０に送信される。
ここで、Ｉｎｖｉｔｅメッセージ７０２を受信したＧＷ９は、Ｉｎｖｉｔｅメッセージ内にあるＭＴ３のアドレスから、ＭＴ３に対して、ダミー音声ＩＰパケット７０４を送信する。ダミー音声ＩＰパケット７０４は、ＨＡ６にて受信され、カプセル化が行われた後、ダミー音声ＩＰパケット７０５は、ＩＰトンネル１１を経由してＦＡ７に転送される。ダミー音声ＩＰパケット７０５を受信したＦＡ７は、デカプセル化を行い、ダミー音声ＩＰパケット７０６はＢＴＳ４を経由してＭＴ３に送信される。
【００３２】
ここで、ダミー音声ＩＰパケット７０４を受信したＨＡ６は、音声ＩＰパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ７０７を、ＧＷ９に送信する。Ｂｉｎｄ  Ｕｐｄａｔｅメッセージ７０７を受信したＧＷ９は、以降に受信するＭＴ３向けの音声ＩＰパケットをカプセル化し、ＨＡ６を経由せず、ＦＡ７に送信することで、音声ＩＰパケットのルート最適化７０８が開始される。そして通話開始７２５においてルート最適化が行われる。
こうして移動端末の発信時においても、移動端末からの呼設定メッセージ受信時にＧＷがダミー音声パケットを送信して音声ＩＰパケットのルート最適化を開始するので通話開始直後から音声ＩＰパケットの最適化ルートが得られる。
【００３３】
図６のシーケンスにおいては、ＭＴ３からのＩｎｖｉｔｅメッセージ受信を契機に、ＧＷ９がダミー音声ＩＰパケットをＭＴ３に送信していたが、ＧＷ９がＭＴ３に対してＲｉｎｇｉｎｇメッセージの送信を契機に、ダミー音声ＩＰパケットを送信し、音声ＩＰパケットのルート最適化を開始してもよい。図７はこうした場合のシーケンスを示す図である。
【００３４】
図１、図７及び図３を用いてシーケンスを説明する。図７においては、図６と同様に、ＭＴ３からＧＷ９にＩｎｖｉｔｅメッセージ８００ないし８０２が送信される。Ｉｎｖｉｔｅメッセージ８０２を受信したＧＷ９は、ＣＮ１０にＳｅｔｕｐメッセージ８０３を送信する。ＣＮ１０からＧＷ９にＡｌｅｒｔメッセージ８０４が送信され、ＧＷ９はＲｉｎｇｉｎｇメッセージ８０５をＭＴ３に送信する。これは更にＲｉｎｇｉｎｇメッセージ８０５ないし８０８として、ＧＷ９からＨＡ６、ＦＡ７を経由してＭＴ３に送信される。
Ｒｉｎｇｉｎｇメッセージ８０５をＭＴ３に送信したＧＷ９は、ＭＴ３に対してダミー音声ＩＰパケット８０９を送信する。ダミー音声ＩＰパケット８０９は、ＨＡ６、ＦＡ７を経由して、ダミー音声ＩＰパケット８１１としてＭＴ３に送信される。
【００３５】
ここで、ダミー音声ＩＰパケット８０９を受信したＨＡ６は、音声ＩＰパケットのルート最適化を行う為、先に述べたと同様の図３の設定を行ったＢｉｎｄ  Ｕｐｄａｔｅメッセージ８１２を、ＧＷ９に送信する。
Ｂｉｎｄ  Ｕｐｄａｔｅメッセージ８１２を受信したＧＷ９は、以降に受信するＭＴ３向けの音声ＩＰパケットをカプセル化し、ＨＡ６を経由せず、ＦＡ７に送信することで、音声ＩＰパケットのルート最適化８１３を開始し、通話開始８２４までには完了する。こうして通話開始直後から、音声ＩＰパケットの最適化ルートが得られる。
【００３６】
図７のシーケンスにおいては、ＧＷ９からのＲｉｎｇｉｎｇメッセージ送信を契機に、ＧＷ９がダミー音声ＩＰパケットをＭＴ３に送信していたが、ＧＷ９がＭＴ３に対してＯＫメッセージの送信を契機に、ダミー音声ＩＰパケットを送信し、音声ＩＰパケットのルート最適化を開始してもよい。図８はこの場合のシーケンスを示す図である。
【００３７】
図１、図８及び図３を用いてシーケンスを説明する。図８においては、図７と同様に、ＭＴ３からＧＷ９にＩｎｖｉｔｅメッセージ９００ないし９０２が送信される。Ｉｎｖｉｔｅメッセージ９０２を受信したＧＷ９は、ＣＮ１０にＳｅｔｕｐメッセージ９０３を送信する。ＣＮ１０からＧＷ９にＡｌｅｒｔメッセージ９０４が送信され、ＧＷ９はＲｉｎｇｉｎｇメッセージ９０５をＭＴ３に送信する。ＧＷ９からＲｉｎｇｉｎｇメッセージ９０５ないし９０８が、ＨＡ６、ＦＡ７を経由してＭＴ３に送信される。ここで、先の図７のシーケンス動作記述では説明を省いたが、Ｒｉｎｇｉｎｇメッセージ９０６を受信したＨＡ６は、シグナリングパケットのルート最適化を行う為、図３のフォーマットに基づくＢｉｎｄＵｐｄａｔｅメッセージ９０９を、ＣＡ８に送信する。Ｂｉｎｄ  Ｕｐｄａｔｅメッセージ９０９を受信したＣＡ８は、以降に受信するＭＴ３向けのシグナリングパケットをカプセル化し、ＨＡ６を経由せず、ＦＡ７に送信することで、シグナリングパケットのルート最適化９１０が行われる。
【００３８】
Ｃｏｎｎｅｃｔメッセージ９１１を受信したＧＷ９は、ＣＡ８にＯＫメッセージ９１２を送信する。ＯＫメッセージは、ＧＷ９からＨＡ６、ＦＡ７を経由してＭＴ３に送信される。
ＯＫメッセージ９１２をＭＴ３に送信したＧＷ９は、ＭＴ３に対してダミー音声ＩＰパケット９１５を送信する。ダミー音声ＩＰパケット９１５は、ＨＡ６、ＦＡ７を経由して、９１６から９１７のダミー音声ＩＰパケットとしてＭＴ３に送信される。
ここで、ダミー音声ＩＰパケット９１５を受信したＨＡ６は、音声ＩＰパケットのルート最適化を行う為、先に述べたと同様に、図３のフォーマットに基づいた、Ｂｉｎｄ  Ｕｐｄａｔｅメッセージ９１８を、ＧＷ９に送信する。
Ｂｉｎｄ  Ｕｐｄａｔｅメッセージ９１８を受信したＧＷ９は、以降に受信するＭＴ３向けの音声ＩＰパケットをカプセル化し、ＨＡ６を経由せず、ＦＡ７に送信することで、音声ＩＰパケットのルート最適化９１９が開始される。こうして通話開始直後から、音声ＩＰパケットの最適化ルートが得られる。
【００３９】
実施の形態３．
音声ＩＰパケットの、交信開始時からの最適化ルートの確保の他に、無音状態が続く場合にも最適化ルートを保持する方法を説明する。
即ち本実施の形態では、あらかじめ音声ＩＰパケットのルート最適化が行われ、通話状態になった後にも、周期的にＧＷ９からＭＴ３に対して、ダミーの音声ＩＰパケットを送信して音声ＩＰパケットのルート最適化状態を保持する。図９は本実施の形態のシーケンスを示す図である。
【００４０】
図１と図２、図９及び図３を用いてシーケンスを説明する。
図９の通話開始１０００においては、実施の形態１と２において、あらかじめ音声ＩＰパケットのルート最適化が行われ、通話状態となっているとする。その後、音声ＩＰパケットは、１００１から１００３のシーケンスのように、最適化ルート経由で交信行われる。
ここでＧＷ９において、音声ＩＰパケット１００２を送信した後、しばらく無音状態１００５となり、音声ＩＰパケットがＭＴ３に対して送信されない場合、タイマー１００４により、ＧＷ９はダミー音声ＩＰパケット１００６をＭＴ３に対して送信する。ダミー音声ＩＰパケット１００６は、ＨＡ６、ＦＡ７を経由して、１００７から１００８のダミー音声ＩＰパケットとしてＭＴ３に送信される。
【００４１】
ここで、ダミー音声ＩＰパケット１００６を受信したＨＡ６は、音声ＩＰパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ１００９をＧＷ９に送信する。Ｂｉｎｄ  Ｕｐｄａｔｅメッセージ１００９を受信したＧＷ９は、再度音声ＩＰパケットのルート最適化１０１０が行われ、ルート最適化状態が保持される。
本実施の形態においては、無音状態になる前の最後のパケットが送信されてからタイマーを開始しているが、これら無音状態とは関係ない、周期的なタイマーを設定し、ＭＴ３に対してダミー音声ＩＰパケットを送信することにより、ルート最適化を図ってもよい。
【００４２】
実施の形態４．
先の各実施の形態においては、ダミー音声ＩＰパケットを送信して最適化ルートを得る方法を説明した。本実施の形態においては、ダミーの音声ＩＰパケットをＭＴに対して送信しないでも、最適化ルートを得る方法を説明する。即ち、ＶｏＩＰのシグナリングメッセージに、ＭＴの気付けアドレスであるＦＡのアドレス情報を追加して、これに基づいてＧＷが、音声ＩＰパケットのルート最適化を、通話の開始前に開始する。図１０はこの場合の、シーケンスを示す図である。図１１は、ＶｏＩＰのシグナリングメッセージに、ＭＴの気付けアドレスであるＦＡのアドレス情報を追加する為に、ＣＡ８にて保持する、ＭＴとＭＴの気付けアドレスであるＦＡアドレスの対応表を示している。ここで、１３００においては、「１３３．１４１．６５．４３」のホームアドレスを持つＭＴは、現在「１６３．１７１．９５．７３」の気付けアドレスを持っていることを示す。この実施の形態において、ＭＴ３は上記「１３３．１４１．６５．４３」のホームアドレスを持っているものとする。
【００４３】
図１、図１０、図３及び、図１１を用いてシーケンスを説明する。
図１０においては、図２のシーケンスと同様に、ｓｅｔｕｐ１１００からＢｉｎｄ  Ｕｐｄａｔｅ１００５のシーケンスに続いて、シグナリングパケットのルート最適化が行われる。ここで、Ｂｉｎｄ  Ｕｐｄａｔｅメッセージ１００５を受信したＣＡ８は、図１１示すように、ＭＴ３のホームアドレス「１３３．１４１．６５．４３」と、ＭＴ３の気付けアドレスであるＦＡ７のアドレス「１６３．１７１．９５．７３」の対応情報を１１０７において保持する。
【００４４】
この後、Ｒｉｎｇｉｎｇメッセージ１１０９等がＭＴ３からＦＡ７を経由して、ＧＷ９に送信される。Ｒｉｎｇｉｎｇメッセージ１１０９を受信したＧＷ９は、図１１に示すＭＴ３とＦＡ７の対応情報から、ＲｉｎｇｉｎｇメッセージにＭＴ３の気付けアドレスであるＦＡ７のアドレス情報を追加して、Ｒｉｎｇｉｎｇメッセージ１１１１をＧＷ９に対して送信する。
Ｒｉｎｇｉｎｇメッセージ１１１１を受信したＧＷ９は、ＣＮ１０にＡｌｅｒｔメッセージ１１１２を送信すると共に、Ｒｉｎｇｉｎｇメッセージ内に追加された、ＦＡ７のアドレス情報から、ＭＴ３宛ての音声ＩＰパケットは、ＦＡ７にトンネリングするという、ルート最適化情報を取得し、以降に受信するＭＴ３向けの音声ＩＰパケットをカプセル化し、ＨＡ６を経由せず、ＦＡ７に送信することで、音声ＩＰパケットのルート最適化１１１３が開始される。このようにして、ＶｏＩＰメッセージにＦＡアドレス情報を追加し、ＧＷに送信しても、通話開始直後から、音声ＩＰパケットの最適化ルートが得られる。
【００４５】
実施の形態５．
先の各実施の形態においては、交信の一方はＰＳＴＮに接続されたＣＮであるとした。しかし本発明は、２つのＭＴが交信を行う場合にも適用ができる。
図１２は、この発明に係る音声パケットのルーチング最適化方法の一実施の形態を説明するネットワーク構成図である。図において、２３はＣＮ／ＭＴ、２４はＢＴＳ、２５はＲＮＣ、２６はＣＮ／ＭＴ２３のＨＡ、２７はＲＮＣ２５内にあり、ＣＮ／ＭＴ２３にとってのＦＡである。なお、ここではＣＮ／ＭＴ２３からＭＴ３への音声ＩＰパケットのルート最適化について記述しているが、ＭＴ３からＣＮ／ＭＴ２３への音声ＩＰパケットのルート最適化にも適用できることはいうまでもない。
【００４６】
また、図１３は図１２に示すネットワーク構成図において、ＣＮ／ＭＴ２３がＭＴ３に向けて発信した場合のルート最適化シーケンスを示した図である。
即ち、ＦＡ７及び、ＦＡ２７にて、ＶｏＩＰメッセージの受信時に、ＭＴ３及びＣＮ／ＭＴ２３に対してダミーの音声ＩＰパケットを送信して、通話開始前に、ＭＴ３からＣＮ／ＭＴ２３への方向及びＣＮ／ＭＴ２３からＭＴ３への方向の音声ＩＰパケットのルート最適化パスの設定を開始する。
【００４７】
図１２、図１３及び、図３を用いてこのシーケンスを説明する。
ＣＮ／ＭＴ２３がＩｎｖｉｔｅメッセージ１５００をＭＴ３に発信し、ＣＡ、ＦＡを経てＩｎｖｉｔｅメッセージ１５０４がＭＴ３に送信される。またＩｎｖｉｔｅメッセージ１５０２を受信したＨＡ６は、シグナリングパケットのルート最適化を行う為、図３のフォーマットに従い、Ｍｏｂｉｌｅ  Ｎｏｄｅ  Ｈｏｍｅ  Ａｄｄｒｅｓｓ１２００にＭＴ３のホームアドレスを設定し、Ｃａｒｅ−ｏｆ  Ａｄｄｒｅｓｓ１２０１にＦＡ７のアドレスを設定した後、Ｂｉｎｄ  Ｕｐｄａｔｅメッセージ１５０５をＣＡ８に送信する。Ｂｉｎｄ  Ｕｐｄａｔｅメッセージ１５０５を受信したＣＡ８は、以降に受信するＭＴ３向けのシグナリングパケットをカプセル化し、ＨＡ６を経由せず、ＦＡ７に送信することで、シグナリングパケットのルート最適化１５０６が行われる。
【００４８】
また、１５０３のＩｎｖｉｔｅメッセージを受信したＦＡ７は、Ｉｎｖｉｔｅメッセージ内にあるＣＮ／ＭＴ２３のアドレスから、ＣＮ／ＭＴ２３に対して、ダミー音声ＩＰパケット１５０７を送信する。ダミー音声ＩＰパケット１５０７は、ＨＡ２６、ＦＡ２７を経由して、ＣＮ／ＭＴ２３に送信される。ここで、ダミー音声ＩＰパケット１５０７を受信したＨＡ２６は、音声ＩＰパケットのルート最適化を行う為、図３のフォーマットに基づいて、先の実施の形態で説明したように設定して、Ｂｉｎｄ  Ｕｐｄａｔｅメッセージ１５１１を、ＦＡ７に送信する。
Ｂｉｎｄ  Ｕｐｄａｔｅメッセージ１５１１を受信したＦＡ７は、以降に受信するＣＮ／ＭＴ２３向けの音声ＩＰパケットをカプセル化し、ＨＡ２６を経由せず、ＦＡ２７に送信することで、音声ＩＰパケットのルート最適化１５１２が開始される。
【００４９】
Ｉｎｖｉｔｅ１５０４に応答して、ＭＴ３より、Ｒｉｎｇｉｎｇメッセージ１５１３ないし１５１７がＣＮ／ＭＴ２３に向けて送信される。またＲｉｎｇｉｎｇメッセージ１５１５を受信したＨＡ２６は、シグナリングパケットのルート最適化を行う為、図３のフォーマットでアドレス設定したＢｉｎｄ  Ｕｐｄａｔｅメッセージ１５１８を、ＣＡ８に送信する。
Ｂｉｎｄ  Ｕｐｄａｔｅメッセージ１５１８を受信したＣＡ８は、以降に受信するＣＮ／ＭＴ２３向けのシグナリングパケットをカプセル化し、ＨＡ２６を経由せず、ＦＡ２７に送信することで、シグナリングパケットのルート最適化１５１９が開始される。
【００５０】
また、１５１６のＲｉｎｇｉｎｇメッセージを受信したＦＡ２７は、Ｒｉｎｇｉｎｇメッセージ内にあるＭＴ３のアドレスから、ＣＮ／ＭＴ２３に対して、ダミー音声ＩＰパケット１５２０を送信する。ダミー音声ＩＰパケット１５２０は、ＨＡ６、ＦＡ７を経由して、ＭＴ３に送信される。ここで、ダミー音声ＩＰパケット１５２０を受信したＨＡ６は、音声ＩＰパケットのルート最適化を行う為、図３のフォーマットでアドレス設定したＢｉｎｄ  Ｕｐｄａｔｅメッセージ１５２３を、ＦＡ２７に送信する。
Ｂｉｎｄ  Ｕｐｄａｔｅメッセージ１５２３を受信したＦＡ２７は、以降に受信するＭＴ３向けの音声ＩＰパケットをカプセル化し、ＨＡ６を経由せず、ＦＡ７に送信することで、音声ＩＰパケットのルート最適化１５２４が開始される。
【００５１】
次に、ＭＴ３より、ＯＫメッセージ１５２５ないし１５２８がＣＮ／ＭＴ２３に向けて送信される。この時、シグナリングメッセージのルート最適化が行われ、ＯＫメッセージはＨＡを経由することなく送信されている。同様にＣＮ／ＭＴ２３より、１５２９から１５３２のシーケンスにて、ＡＣＫメッセージがＭＴ３に送信される時も、シグナリングメッセージのルート最適化が行われている。
そして、ＣＮ／ＭＴ２３とＭＴ３は通話状態１５３３となり、ＣＮ／ＭＴ２３からＭＴ３に送信された音声ＩＰパケットは、通話開始直後より、ルート最適化され、ＨＡ６を経由することなくＭＴ３に送信される。また、ＭＴ３からＣＮ／ＭＴ２３に送信された音声ＩＰパケットも、通話開始直後より、ルート最適化され、ＨＡ２６を経由することなく、ＣＮ／ＭＴ２３に送信される。このように、この実態の形態においては、ＭＴの通信の相手端末ＣＮが移動端末ＭＴである場合にも、ＦＡによりダミー音声ＩＰが発せられて最適化が開始されるので、通話開始直後から、音声ＩＰパケットの最適化ルートが得られる。なお、この実施の形態におけるＦＡをＲＮＣとしてもよい。
【００５２】
図１２のネットワーク構成においては、交信をＭＴとＣＮ／ＭＴとの間で行う場合を説明した。交信の一方をインターネット端末（ＣＮ／ＩＰ）とした構成に対しても本発明は適用できる。
図１４はこの場合のネットワーク構成図である。図において、２２はＣＮ／ＩＰである。ここではＣＮ／ＩＰ２２からＭＴ３への音声ＩＰパケットのルート最適化の概要を示している。
また、図１５は図１４に示すネットワーク構成において、ＣＮ／ＩＰ２２がＭＴ３に発信した場合のルート最適化シーケンスを示した図である。即ち、ＣＮ／ＩＰ２２が、Ｒｉｎｇｉｎｇメッセージの受信時に、ＭＴ３に対してダミーの音声ＩＰパケットを送信して、通話開始前に、ＣＮ／ＩＰ２２からＭＴ３への音声ＩＰパケットのルート最適化パスの設定を開始する。
【００５３】
図１４、図１５及び、図３を用いてこのシーケンスを説明する。
ＣＮ／ＩＰ２２からＩｎｖｉｔｅメッセージ、１７００ないし１７０４がＭＴ３に向けて送信される。Ｉｎｖｉｔｅメッセージ１７０２を受信したＨＡ６は、シグナリングパケットのルート最適化を行う為、図３のフォーマットに従い、アドレスを設定した、Ｂｉｎｄ  Ｕｐｄａｔｅメッセージ１７０５を、ＣＡ８に送信する。Ｂｉｎｄ  Ｕｐｄａｔｅメッセージ１７０５を受信したＣＡ８は、以降に受信するＭＴ３向けのシグナリングパケットをカプセル化し、ＨＡ６を経由せず、ＦＡ７に送信することで、シグナリングパケットのルート最適化１７０６が行われる。
【００５４】
Ｉｎｖｉｔｅに応答して、ＭＴ３より、Ｒｉｎｇｉｎｇメッセージ１７０７ないし１７１０がＣＮ／ＩＰ２２に向けて送信される。
Ｒｉｎｇｉｎｇメッセージ１７０９を受信したＣＮ／ＩＰ２２は、Ｒｉｎｇｉｎｇメッセージ内にあるＭＴ３のアドレスから、ＭＴ２３に対して、ダミー音声ＩＰパケット１７１１を送信する。ダミー音声ＩＰパケット１７１１は、ＨＡ６、ＦＡ７を経由して、ＭＴ３に送信される。ここで、ダミー音声ＩＰパケット１７１１を受信したＨＡ６は、音声ＩＰパケットのルート最適化を行う為、図３のフォーマットに従い、アドレスを設定した、Ｂｉｎｄ  Ｕｐｄａｔｅメッセージ１７１４を、ＣＮ／ＩＰ２２に送信する。Ｂｉｎｄ  Ｕｐｄａｔｅメッセージ１７１４を受信したＣＮ／ＩＰ２２は、以降に受信するＭＴ３向けの音声ＩＰパケットをカプセル化し、ＨＡ６を経由せず、ＦＡ７に送信することで、音声ＩＰパケットのルート最適化１７１５が行われる。このように、ＭＴの通信の相手端末が、ＩＰネットワークに接続している端末ＣＮ／ＩＰである場合にも、ＣＮ／ＩＰがダミー音声パケットを送信することで、通話開始直後から音声ＩＰパケットの最適化ルートが得られる。
【００５５】
【発明の効果】
本発明によれば、ＣＮからＭＴへの発信またはＭＴからＣＮへの発信において、Ｒｉｎｇｉｎｇメッセージ等の受信を契機に、通話開始に先立ってＭＴにダミー音声ＩＰパケットを送信することにより、音声ＩＰパケットのルート最適化が行われ、通話開始直後から、音声ＩＰパケットの最適化ルートが得られて、遅延時間を小さくし、かつパケット廃棄が避けられる効果がある。
【００５６】
また更に、無音状態をトリガーとするタイマーを設けたので、通話中は常に最適化ルートが確保されてパケットの遅延及び廃却が避けられる効果がある。
【００５７】
また更に、移動体端末間の通話に対しても通話開始に先立ってＦＡにダミー音声ＩＰパケットを送信させるようにしたので、通話開始直後から最適化ルートが得られる効果がある。
【図面の簡単な説明】
【図１】この発明の実施の形態１ないし実施の形態４におけるＣＮからＭＴへの音声ＩＰパケットのルート最適化を説明するネットワーク構成図である。
【図２】この発明の実施の形態１における音声ＩＰパケットのルート最適化シーケンスである。
【図３】この発明の各実施の形態におけるＢｉｎｄ  Ｕｐｄａｔｅメッセージフォーマット図である。
【図４】この発明の実施の形態１における他のＩＰパケットのルート最適化シーケンス図である。
【図５】この発明の実施の形態１における他の音声ＩＰパケットのルート最適化シーケンス図である。
【図６】この発明の実施の形態２における音声ＩＰパケットのルート最適化シーケンス図である。
【図７】この発明の実施の形態２における他の音声ＩＰパケットのルート最適化シーケンス図である。
【図８】この発明の実施の形態２における他の音声ＩＰパケットのルート最適化シーケンス図である。
【図９】この発明の実施の形態３における音声ＩＰパケットのルート最適化パス保持シーケンス図である。
【図１０】この発明の実施の形態４における音声ＩＰパケットのルート最適化シーケンス図である。
【図１１】ＣＡにて保持する、ＭＮとＭＮの存在するネットワークのＦＡアドレスの対応表を示す図である。
【図１２】実施の形態５におけるＣＮ／ＭＴからＭＴへの音声ＩＰパケットのルート最適化を説明するネットワーク構成図である。
【図１３】この発明の実施の形態５における音声ＩＰパケットのルート最適化シーケンス図である。
【図１４】実施の形態５におけるＣＮ／ＩＰからＭＴへの音声ＩＰパケットのルート最適化を説明するネットワーク構成図である。
【図１５】実施の形態５における音声ＩＰパケットのルート最適化シーケンス図である。
【図１６】従来のＣＮ−ＭＴ間におけるＶｏＩＰシグナリングメッセージのルート最適化を説明するネットワーク構成図である。
【図１７】従来のＣＮ−ＭＴ間における音声ＩＰパケットのルート最適化を説明するネットワーク構成図である。
【符号の説明】
１  ＩＰネットワーク、２  ＰＳＴＮ、３  ＭＴ、４，２４    ＢＴＳ、５，２５  ＲＮＣ、６，２６  ＨＡ、７，２７    ＦＡ、８  ＣＡ、９  ＧＷ、１０ＣＮ、１１  ＨＡ６からＦＡ７へのＩＰトンネル、１２，１６  ルート最適化されたＦＡ７へのＩＰトンネル、２２  ＣＮ／ＩＰ、２３  ＣＮ／ＭＴ、４１１，５１０，６１９，７０４，８０９，９１５，１００６，１５０７，１５２０，１７１１  ダミー音声ＩＰパケット送信、４１４，５１３，６２２，７０７，８１２，９１８，１００９，１５１１，１５２３，１７１４  Ｂｉｎｄ  Ｕｐｄａｔｅ送信、４１５，５１４，６２３，７０８，８１３，９１９，１０１０，１５１２，１５２４，１７１５  音声ＩＰパケット・ルート最適化、１１０７  ＦＡアドレス記憶、１１１０  ＦＡアドレス追加、１１１１  リンギング、１１１３音声ＩＰパケット・ルート最適化。
【図１】
0003629217.tif 000002
【図２】
0003629217.tif 000003
【図３】
0003629217.tif 000004
【図４】
0003629217.tif 000005
【図５】
0003629217.tif 000006
【図６】
0003629217.tif 000007
【図７】
0003629217.tif 000008
【図８】
0003629217.tif 000009
【図９】
0003629217.tif 000010
【図１０】
0003629217.tif 000011
【図１１】
0003629217.tif 000012
【図１２】
0003629217.tif 000013
【図１３】
0003629217.tif 000014
【図１４】
0003629217.tif 000015
【図１５】
0003629217.tif 000016
【図１６】
0003629217.tif 000017
【図１７】
0003629217.tif 000018